(57)【要約】【課題】  アナログレコードの特殊再生を行う場合と同様の操作により特殊再生を行うことができる光ディスク再生装置を提供する。【解決手段】  筐体と、読取部と、記憶部と、再生部と、筐体の表面に配設される円盤部と、円盤部を回転駆動する駆動部と、円盤部に載置される操作円盤部と、筐体の内部に配設され操作円盤部と連結し同期して回転する回転円盤部と、回転円盤部の回転速度及方向を検出し第１パルス信号を出力する第１検出部と、円盤部の回転速度及び方向を検出し第２パルス信号を発生する第２検出部と、円盤部が基準回転速度及び方向で回転するよう駆動部を制御し、第１パルス信号によって回転円盤部が基準回転速度及び方向で回転していると判別した場合記憶部に記憶したデータを基準読み出し速度及び順序で読み出すよう制御し、第１検出部からのパルス信号に応じて記憶部に記憶したオーディオデータの読み出し速度及び順序を制御する制御部とを備える。【選択図】  図２
2005108319.tif 000002
【特許請求の範囲】
【請求項１】
筐体と、光ディスクに記録されたオーディオデータを読み取る読取部と、前記読取部が読み取ったオーディオデータを記憶する記憶部と、前記記憶部が記憶したオーディオデータを再生する再生部と、前記筐体の表面に配設される円盤部と、前記円盤部を回転駆動する駆動部と、前記円盤部に載置される操作円盤部と、前記筐体の内部に配設され前記操作円盤部と連結し当該操作円盤部の回転と同期して回転する回転円盤部と、前記筐体の内部に配設され前記回転円盤部の回転速度及び回転方向を検出し第１パルス信号を出力する第１検出部と、前記円盤部の回転速度及び回転方向を検出し第２パルス信号を発生する第２検出部と、前記第２検出部が発生する第２パルス信号により前記円盤部が基準回転速度及び基準回転方向で回転するよう前記駆動部を制御し、前記第１パルス信号及び前記第２パルス信号によって前記回転円盤部が基準回転速度及び基準回転方向で回転していると判別した場合前記記憶部に記憶したオーディオデータを基準読み出し速度及び基準読み出し順序で読み出すよう制御し、前記第１パルス信号及び前記第２パルス信号によって前記回転円盤部が基準速度及び基準回転方向で回転していないと判別した場合前記第１検出部からの前記第１パルス信号に応じた読み出し速度及び読み出し順序で前記記憶部に記憶したオーディオデータを読み出す制御をする制御部とを備えることを特徴とする光ディスク再生装置。
【発明の詳細な説明】
【技術分野】
【０００１】
本発明は、光ディスクから再生したオーディオデータをメモリに記憶し、メモリに記憶したオーディオデータの読み出し速度及び読み出し順序を、操作円盤部の操作によって変化することができる光ディスク再生装置に関する。
【背景技術】
【０００２】
オーディオ再生装置を操作してオーディオデータを再生するディスクジョッキー（Disc Jockey（以下、DJという。））は、アナログレコードまたはコンパクトディスク（Compact Disc（以下、CDという。））等の光ディスクに記録されたオーディオデータを再生している最中に、擦れ音のような効果音を発生させるスクラッチ再生と呼ばれる特殊再生を行うことがある。DJは、アナログレコードを用いてスクラッチ再生を行う場合、アナログレコードを素早く正方向又は逆方向に回すことにより擦れ音を発生させる。また、このアナログレコードによるスクラッチ再生と同様の特殊再生を行うことが可能なDJ用のCDプレーヤがある（例えば、特許文献１参照）。
【０００３】
このCDプレーヤは、ジョグダイヤルとメモリを備えており、CDから再生したオーディオデータをメモリに記憶し、ジョグダイヤルを正方向又は逆方向に回すことにより、メモリに記憶されたオーディオデータの読み出し速度と読み出し順序を制御し、アナログレコードによる擦れ音と同等の効果音を発生させる。このように、DJは、CDに記録されたオーディオデータを再生しているとき、ジョグダイヤルをアナログレコードと同じように回転操作することにより、アナログレコードと同様のスクラッチ再生等の特殊再生を行うことができる。
【０００４】
上記のようなDJ用のCDプレーヤでは、ジョグダイヤルが操作されない場合、CDに記録されたオーディオデータを標準速度で再生（以下、通常再生という。）する。ジョグダイヤルが回転操作された場合、CDプレーヤは、ジョグダイヤルの回転速度及び回転方向を検出し、検出した回転速度及び回転方向に応じて、CDから再生しメモリに記憶したオーディオデータの読み出し速度及び読み出し順序を変える特殊再生を行う。
【０００５】
【特許文献１】特開２００１−３１２８５７号公報
【発明の開示】
【発明が解決しようとする課題】
【０００６】
DJが従来のCDプレーヤのジョグダイヤルを回転操作して、ジョグダイヤルから手を離した場合、ジョグダイヤルの回転が、慣性により直ぐに停止しないことがある。特にスクラッチ再生を行う場合、DJは、ジョグダイヤルを正方向又は逆方向に素早く回転させるので、ジョグダイヤルから手を離した後、ジョグダイヤルは直ぐに停止せず、回転が停止するまでに時間を要するため、DJが意図したタイミングで通常再生に戻すことができない。したがって、ジョグダイヤルを備えたCDプレーヤでは、アナログレコードと同様にジョグダイヤルを回転操作しても、アナログレコードのスクラッチ再生による効果音と同等の効果音を発生させることができないという課題があった。
【０００７】
また、ジョグダイヤルとメモリを備えたCDプレーヤには、例えば、再生ボタンを押圧することにより、ジョグダイヤルの操作を無効にすることができる機能を備えたものがある。このCDプレーヤを用いた場合、DJは、ジョグダイヤルの回転操作を終えた後、直ぐに再生ボタンを押圧することにより、それ以前に行っていたジョグダイヤルの回転操作が無効になるので、DJが意図したタイミングで特殊再生から通常再生に戻すことができる。しかし、この機能を利用する場合、操作がアナログレコードを用いて特殊再生を行う操作と異なるため、DJにとって操作に不自然さが残るという課題があった。
【０００８】
本発明は、光ディスク再生装置において、光ディスクの特殊再生をする場合、アナログレコードの特殊再生を行う場合と同様の操作により特殊再生を行うことができる光ディスク再生装置を提供することを目的とする。
【課題を解決するための手段】
【０００９】
本願の請求項１記載の発明は、光ディスク再生装置において、筐体と、光ディスクに記録されたオーディオデータを読み取る読取部と、前記読取部が読み取ったオーディオデータを記憶する記憶部と、前記記憶部が記憶したオーディオデータを再生する再生部と、前記筐体の表面に配設される円盤部と、前記円盤部を回転駆動する駆動部と、前記円盤部に載置される操作円盤部と、前記筐体の内部に配設され前記操作円盤部と連結し当該操作円盤部の回転と同期して回転する回転円盤部と、前記筐体の内部に配設され前記回転円盤部の回転速度及び回転方向を検出し第１パルス信号を出力する第１検出部と、前記円盤部の回転速度及び回転方向を検出し第２パルス信号を発生する第２検出部と、前記第２検出部が発生する第２パルス信号により前記円盤部が基準回転速度及び基準回転方向で回転するよう前記駆動部を制御し、前記第１パルス信号及び前記第２パルス信号によって前記回転円盤部が基準回転速度及び基準回転方向で回転していると判別した場合前記記憶部に記憶したオーディオデータを基準読み出し速度及び基準読み出し順序で読み出すよう制御し、前記第１パルス信号及び前記第２パルス信号によって前記回転円盤部が基準速度及び基準回転方向で回転していないと判別した場合前記第１検出部からの前記第１パルス信号に応じた読み出し速度及び読み出し順序で前記記憶部に記憶したオーディオデータを読み出す制御をする制御部とを備えることを特徴とする。
【発明の効果】
【００１０】
本発明の光ディスク再生装置によれば、アナログレコードの特殊再生を行う場合と同様の操作により特殊再生を行うことができる光ディスク再生装置を提供することができる。また、操作円盤部の回転を検出する第１光センサ部に光ディスク再生装置の周囲に浮遊する埃が付着し操作円盤部の回転速度及び回転方向が検出できなくなることを防止することができる光ディスク再生装置を提供することができる。
【発明を実施するための最良の形態】
【００１１】
以下、本発明の実施の形態を図面に基づいて説明する。
図１は、本発明の一実施例である光ディスク再生装置の構成を示すブロック図である。図１において、１はターンテーブル、２はスピンドルモータ、３はサーボ制御部、４は光ピックアップ、５は再生アンプ、６は信号処理部、７はメモリ制御部、８はRAM（Random Access Memory）、９はDAC（Digital to Analog Converter）、１０はアンプ、１１は出力端子、１２は制御部、１３は表示部、１４は操作部を示す。本実施例の光ディスク再生装置は、操作部１４に読出指示部としてのジョグダイヤル部を備え、ジョグダイヤル部の回転速度及び回転方向に応じて、CDから再生しRAM８に記憶されたデジタルオーディオデータの読み出し速度及び読み出し順序を変えることができるDJ用のCDプレーヤである。
【００１２】
スピンドルモータ２に固定されたターンテーブル１は、CDを固定する。操作部１４から再生開始の指示が入力されると、サーボ制御部３は、スピンドルモータ２を所定の線速度で回転駆動させる制御をする。また、サーボ制御部３は、光ピックアップ４からのレーザ光をCDのピット列を正しくトレースするために、図示しないフォーカスサーボ回路とトラッキングサーボ回路を制御する。
【００１３】
光ピックアップ４が再生したデジタルオーディオデータは、再生アンプ５により波形整形及び増幅され信号処理部６に入力される。信号処理部６は、デジタルオーディオデータの復調、フォーカスエラー信号やトラッキングエラー信号等のエラー信号、同期信号の抜き出し等をしてデジタルオーディオデータをメモリ制御部７に入力する。
【００１４】
メモリ制御部７は、入力されたデジタルオーディオデータをRAM８に入力するよう制御する。RAM８は、入力されたデジタルオーディオデータを記憶する。RAM８が記憶したデジタルオーディオデータは、メモリ制御部７の制御により読み出されDAC９に入力される。
【００１５】
DAC９は、デジタルオーディオデータをアナログオーディオ信号に変換しアンプ１０に入力する。DAC９から入力されたアナログオーディオ信号は、アンプ１０により増幅され出力端子１１に接続したスピーカ等から出力される。
【００１６】
表示部１３は、現在再生しているトラックの再生時間、トラックナンバー等を表示する。操作部１４は、ジョグダイヤル部、再生ボタン、再生停止ボタン、イジェクトボタン等を備えている。
【００１７】
図２は、本発明の一実施例である光ディスク再生装置の操作部１４が備えるジョグダイヤル部の断面を示す図である。図２において、２１はモータ部、２２はシャフト、２５は円盤部、２７はシート部、２８は操作円盤部、２９はストッパー部、３０はパネル、３１は第１光センサ部、３２は第２光センサ部、３３は筐体を示す。
【００１８】
図２に示すジョグダイヤル部の構成について説明する。
筐体３３は、箱型を成し、上面にパネル３０が固定されている。パネル３０には、円筒型を成し上方へ突出する円筒部３０１を備える。円筒部３０１の上部には、上方へ突出する凸部３０３を備える。円筒部３０１の略中央には、上下に貫通する孔３０２を備える。
【００１９】
円盤部２５は、略中央に上下に貫通する孔２５１を備え、当該孔２５１へ凸部３０３が挿入することにより、円筒部３０１を軸として自在に回動する。この円盤部２５の裏面には、スリット部２６が設けられている。スリット部２６は、例えば、円盤部２５と同材質であり、等間隔に長方形状の開口部を設けたリング状の板である。
【００２０】
モータ部２１は基板２１１、マグネット２１２、基板２１３、保持部２１４及びコイル２１５を備える。基板２１３は、パネル３０の上面に固定される。基板２１３の上面には、複数のコイル２１５が保持部２１４によって固定されている。それぞれのコイル２１５は、円筒部３０１を中心として等間隔に配置されている。基板２１１は、円盤部２５の下面に固定されている。基板２１１の下面には複数のマグネット２１２が固定されている。それぞれのマグネット２１２は、コイル２１５の外周に等間隔に配置されている。コイル２１５は、基板２１３及び保持部２１４を介して図示しない導電ケーブルによってモータ駆動回路と接続されている。モータ駆動回路は、制御部１２の制御によりコイル２１５へ電力を供給する。コイル２１５は、モータ駆動回路から電力が供給されることにより、Ｓ極及びＮ極の磁力を帯びた電磁石となる。円盤部２５は、コイル２１５がモータ駆動回路からの電力によってＳ極の磁力とＮ極の磁力を交互に帯びることにより、マグネット２１２がコイル２１５へ吸引され、円筒部３０１を軸に回転する。
以上の構成により、モータ部２１は、制御部１２の制御により、円盤部２５を回転させる。
【００２１】
シャフト２２は、孔３０２に挿入される。シャフト２２の下部には、円盤型を成す回転円盤部３０４が固定されている。この回転円盤部３０４の外周部には、等間隔に長方形状の開口部を備えたスリット部３０５が設けられている。シート部２７は、中央に孔２７１を備え、この孔２７１にシャフト２２が挿入された状態で円盤部２５の上面に載置されている。ここで、上記シート部２７として、例えば、回転している円盤部２５の回転速度に、停止している操作円盤部２８が０．１〜０．２秒後に追従して回転できる程度の摩擦係数を有する部材を用いる。また、操作円盤部２８は、モータ２１から伝わる駆動トルクに追従できるように面積を大きくし、材質及び厚みを調節することで、載置されているシート部２７が小さい摩擦係数であっても、操作円盤部２８から手が離れると、予め定められた速度で回転を再開するように、自重と慣性モーメントを小さくしておく。
【００２２】
操作円盤部２８は、中央に孔２８１を備える。操作円盤部２８は、シート部２７の上面に載置されている。操作円盤部２８は、孔２８１へシャフト２２が挿入した状態でシャフト２２へ固定される。ストッパー部２９は、シャフト２２が操作円盤部２８、シート部２７及び孔３０２から抜け落ちないよう、シャフト２２の上部に固定されている。
【００２３】
操作円盤部２８は、操作することにより、シート部２７の上面を摺動しながらシャフト２２を軸に回転する。操作円盤部２８が回転することによって、シャフト２２及び回転円盤部３０４も操作円盤部２８の回転に同期して回転する。
【００２４】
第１光センサ部３１は、操作円盤部２８の回転方向を検出するために２の光センサから構成され、スリット部３３の開口部を検出できるようにパネル３０に固定されている。同様に、第２光センサ部３２は、２の光センサから構成され、スリット部２６の開口部を検出できるようにパネル３０に固定されている。
ここで、光センサ部による回転状態の検出方法を説明する。以下の説明は、操作円盤部２８を例にあげて行なう。
第１光センサ部３１の２つの光センサをそれぞれセンサＡ及びセンサＢとする。センサＡ及びセンサＢはスリット部３０５の開口部を検出したとき、ＯＦＦを示すパルス信号を出力し、スリット部３０５の閉口部で閉ざされたとき、ＯＮを示すパルス信号を出力する。
センサＡ及びセンサＢは、それらから出力されるパルス信号の組み合わせとして、以下の４通りの出力パターンが発生するように配置される。
パターン１：（センサＡ）ＯＮ−（センサＢ）ＯＮ
パターン２：（センサＡ）ＯＮ−（センサＢ）ＯＦＦ
パターン３：（センサＡ）ＯＦＦ−（センサＢ）ＯＮ
パターン４：（センサＡ）ＯＦＦ−（センサＢ）ＯＦＦ
ここで、操作円盤部２８の回転速度は、制御部１２において、所定の時間に出力されるパルス数に従って算出される。そして、回転方向は、制御部１２において、操作円盤部２８の回転方向に伴って変化するセンサＡ及びセンサＢからのパルス信号の出力パターンの発生順によって判断する。
具体的には、例えば、操作円盤部２８が時計回りに回転した場合は、
パターン４→パターン２→パターン１→パターン３→パターン４→パターン２・・・
といった順序で出力パターンが発生する。
一方、操作円盤部２８が反時計回りに回転した場合は、
パターン２→パターン４→パターン３→パターン１→パターン２→パターン４・・・
といった順序で出力パターンが発生する。
このように、制御部１２は、上述した出力パターンの発生順の違いを検出し、操作円盤部２８の回転方向を判断する。なお。第２光センサ部３２による円盤部２５の回転状態の検出も上述した説明と同様の検出方法であり、説明を省略する。
【００２５】
第１光センサ部３１は、スリット部３０５の開口部を検出し、回転円盤部３０４の回転状態（回転速度及び回転方向）に応じた第１パルス信号を発生し制御部１２に入力する。また、第２光センサ部３２は、円盤部２５のスリット部２６の開口部を検出し、円盤部２５の回転状態に応じた第２パルス信号を発生し制御部１２に入力する。
【００２６】
制御部１２は、第１光センサ部３１から入力された第１パルス信号に応じて、RAM８に記憶されたデジタルオーディオデータの読み出す速度及び方向を判別し、メモリ制御部７を制御する。また、制御部１２は、第２光センサ部３２から入力される第２パルス信号から、円盤部２５の回転速度を予め定められた速度に保つようにモータ２１を制御する。
【００２７】
本実施例の光ディスク再生装置は、CDに記録されたオーディオデータを再生する場合、モータ２１は、予め定められた速度（例えば、アナログレコードプレーヤの再生時におけるターンテーブルの角速度）で回転する。モータ部２１によって円盤部２５が予め定められた速度で回転しているとき、シート部２７及び操作円盤部２８は、同じ速度で回転する。このとき、回転円盤部３０４も操作円盤部２８と同じ速度で回転する。モータ部２１の回転方向は、アナログレコードプレーヤのターンテーブルの回転方向（右回り）と同じ方向である。このため、本実施例の光ディスク再生装置では、アナログレコードを用いて特殊再生を行う操作と同様の操作をすることができる。
本実施例の光ディスク再生装置では、上記予め定められた速度を、例えば、アナログレコードプレーヤの再生時におけるターンテーブルの速度と設定し、また、回転方向を、アナログレコードプレーヤのターンテーブルの回転方向と設定する。ここで、ストッパー部２９、円盤部２５、シート部２７及び操作円盤部２８は、モータ２１と同じ速度で同方向に回転するため、本実施例の光ディスク再生装置においてCDに記録されたオーディオデータを再生する場合、操作円盤部２８がアナログレコードと類似の動きをすることとなる。
なお、通常の動作では、操作者が、操作円盤部２８に例えば手を乗せるなどの操作をした場合、円盤部２５は、シート部２７の摩擦係数が小さいため、操作円盤部２８の動作に影響されることなく、予め定められた速度で回転し続ける。しかし、操作円盤部２８に与えられる力が大きくなると、それに伴い摩擦力も大きくなり、円盤部２５が操作円盤部２８の動作に影響を受けるようになる。このような場合にも、制御部１２のフィードバック制御により、円盤部２５の回転は一定の速度に保たれる。
【００２８】
先ず、予め定められた速度で回転している操作円盤部２８を停止する場合における、本実施例の光ディスク再生装置の再生動作について説明する。
【００２９】
先ず、DJは、予め定められた速度で回転している操作円盤部２８に手を乗せ回転速度を徐々に遅くする。このとき、円盤部２５は、シート部２７の摩擦係数が小さいため、操作円盤部２８の回転速度に影響されることなく、予め定められた速度で回転する。操作円盤部２８の回転速度が変化すると回転円盤部３０４の回転速度が変化し、第１光センサ部３１から一定時間に発生する第１パルス信号のパルス数は、回転円盤部３０４の回転速度に応じて変化する。制御部１２は、第１光センサ部３１から一定時間に入力された第１パルス信号のパルス数から回転円盤部３０４の回転速度を介して操作円盤部２８の回転速度を判別する。制御部１２は、判別した回転速度に応じて、メモリ制御部７を制御する。メモリ制御部７は、RAM８から読み出すデジタルオーディオデータの速度を遅くする制御をする。
【００３０】
操作円盤部２８の回転が停止したとき、回転円盤部３０４の回転も停止し、第１光センサ部３１は、制御部１２に第１パルス信号を入力しない。制御部１２は、第１光センサ部３１から第１パルス信号の入力がない場合、メモリ制御部７にRAM８からデジタルオーディオデータの読み出しを停止する制御をする。
【００３１】
DJが操作円盤部２８から手を離し操作が終了すると、操作円盤部２８は、円盤部２５が予め定められた速度で回転しているので、回転円盤部３０４は円盤部２５と同様の予め定められた速度で回転を再開する。操作円盤部２８が回転を再開し、回転円盤部３０４が予め定められた速度で回転すると、制御部１２は、メモリ制御部７に通常再生時の読み出し速度でRAM８からデジタルオーディオデータを読み出す制御をする。
【００３２】
また、DJは、予め定められた速度で回転している操作円盤部２８を手で予め定められた速度より速く回転させて回転速度を徐々に速くする場合、制御部１２は、第１光センサ部３１から一定時間に入力された第１パルス信号のパルス数に応じて、メモリ制御部７にRAM８から読み出すデジタルオーディオデータの速度を速くする制御をする。
【００３３】
次に、操作円盤部２８を定められた速度で回転している方向と逆方向に回転させる場合における、本発明の一実施例であるCDプレーヤの再生動作について説明する。
【００３４】
DJは、手で予め定められた速度で回転している操作円盤部２８を逆方向（左回り）に回転させる。このとき、円盤部２５は、シート部２７の摩擦係数が小さいため、操作円盤部２８の回転速度及び方向に影響されることなく、予め定められた速度で回転することができる。第１光センサ部３１は、２の光センサを備えおり、操作円盤部２８の回転方向が変化すると、同様に回転円盤部３０４の回転方向も変化するので、この２の光センサから発生するパルス信号の位相差は、操作円盤部２８の回転方向に応じて変化する。制御部１２は、この２の光センサから入力された第１パルス信号の位相差から操作円盤２８の回転方向を判別する。また、上述したように、制御部１２は、第１光センサ部３１から一定時間に入力された第１パルス信号のパルス数から操作円盤２８の回転速度を判別する。制御部１２は、判別した回転速度及び回転方向に応じて、メモリ制御部７を制御する。メモリ制御部７は、RAM８から読み出すデジタルオーディオデータの速度及び順序を制御する。
【００３５】
DJが操作円盤部２８から手を離し操作が終了すると、操作円盤部２８は、円盤部２５が予め定められた速度で回転しているので、予め定められた速度及び回転方向の回転を再開する。操作円盤部２８が予め定められた速度及び回転方向で回転を再開すると、回転円盤部３０４の回転も予め定められた速度及び回転方向となり、制御部１２は、メモリ制御部７に通常再生時の読み出し速度でRAM８からデジタルオーディオデータの読み出す制御をする。
【００３６】
上述の実施例において、操作円盤部２８を操作しているとき、予め定められた速度で回転している円盤部２５の回転速度が変化すると、制御部１２は、第２光センサ部３２から一定時間に入力された第２パルス信号のパルス数に応じて、円盤部２５の回転速度が予め定められた速度を保つようにモータ部２１を制御する。
【００３７】
本実施例の光ディスク再生装置を用いて、スクラッチ再生を行う場合、DJは、手で操作円盤部２８を素早く正方向又は逆方向に回転させる操作を繰り返す。制御部１２は、第１光センサ部３１から入力される第１パルス信号から、回転円盤部３０４を介して操作円盤部２８の回転速度及び回転方向を判別する。制御部１２は、判別した回転速度及び回転方向に応じて、メモリ制御部７を制御する。メモリ制御部７は、RAM８に記憶されたデジタルオーディオデータの読み出し速度及び読み出し順序（オーディオデータを昇順アドレスで読み出す又は降順で読み出す）を制御する。RAM８から読み出されたデジタルオーディオデータは、DAC９によりアナログオーディオ信号に変換され、アンプ１０により増幅されて出力端子１１に接続したスピーカから擦れ音のような効果音として出力される。
【００３８】
以上の構成により、本実施例の光ディスク再生装置は、円盤部２５と操作円盤部２８が同じ予め定められた速度で回転している状態から、操作円盤部２８を回転操作することにより、スクラッチ再生等の特殊再生を行うことができる。
【００３９】
本発明の光ディスク再生装置は、操作円盤部２８の回転と同様に回転する回転円盤部３０４を筐体３３の内部に配設する構成としているので、スリット部３０５及び第１光センサ部３１がパネル３０の表面から露出しない。このことにより、DJが操作円盤部２８を操作する場合、DJの手が第１光センサ部３１に接触し、第１光センサ部３１が破壊されてしまう虞がない。また、第１光センサ部３１及び回転円盤部３０４が筐体３３の内部に配設される構成であるため、光ディスク再生装置の周囲に浮遊する埃がスリット部に付着して第１光センサ部３１が操作円盤部２８の回転速度及び回転方向を検出できなることを防止することができる。
【図面の簡単な説明】
【００４０】
【図１】本発明の一実施例である光ディスク再生装置の構成を示すブロック図。
【図２】本実施例のジョグダイヤル部の構成を示す図。
【符号の説明】
【００４１】
１  ターンテーブル、２  スピンドルモータ、３  サーボ制御部、４  光ピックアップ、
５  再生アンプ、６  信号処理部、７  メモリ制御部、８  RAM、９  DAC、
１０  アンプ、１１  出力端子、１２  制御部、１３  表示部、１４  操作部、
２１  モータ部、２１１  基板、２１２  マグネット、２１３  基板、２１４  保持部、
２１５  コイル、２２  シャフト、２５  円盤部、２５１  孔、２６  スリット部、
２７  シート部、２７１  孔、２８  操作円盤部、２８１  孔、２９  ストッパー部、
３０  パネル、３０１  円筒部、３０２  孔、３０３  凸部、３０４  回転円盤部、
３０５  スリット部、３１  第１光センサ部、３２  第２光センサ部、３３  筐体
【図１】
2005108319.tif 000003
【図２】
2005108319.tif 000004